(57)【要約】【課題】液体の逆流を防止することで混合済みの残液が少量に抑えられるトリガー式混合液噴出容器を提供する。【解決手段】トリガー式混合液噴出容器1は、容器本体の2つの充填部にそれぞれボディ13を配置して各シリンダに配置したピストンをそれぞれレバーで同期動作させることで噴出口A7を通して混合液として噴出させる噴出部20を備える。噴出部20は、アダプタ25を介して排出流路r1に通じるスピンエレメント21と、エレメント21に形成された開口部A5の出側にドーム状の密封空間Soを形成して排出流路r1からの圧力によってのみ開放されるバルブ22と、エレメント21の突出部21pを通す筒体部23cを有してバルブ22の収納空間SVとともに液体を通す一対の案内流路r2-r6が形成されるジョイントカバー23と、筒体部23cに固定されて2つの案内流路r2-r6の合流部r7を噴出口A7の直前に形成する噴出ノズル24を備える。【選択図】図７
2015101383.tif 000002
【特許請求の範囲】
【請求項１】
液体が充填される２つの充填部を有する容器本体と、容器本体を固定可能な装着筒を有して個々の充填部の口筒部に通じる２つのインテークが設けられたインテーク部材と、１のインテークに通じるシリンダとこのシリンダに通じる排出流路を一対に横並びに配置したボディと、各シリンダに配置されたピストンをそれぞれ同期動作させるレバーと、ボディに形成された２つの排出流路を合流させて噴出口を通して２つの液体の混合液を噴出させる噴出部を備え、
噴出部は、ボディに接続されるアダプタエレメントと、このアダプタエレメントを介してボディに形成した排出流路に通じる一対の開口部が横並びに配置されているとともに当該開口部の間に突出部が設けられたスピンエレメントと、スピンエレメントに形成された開口部の出側にドーム状の密封空間を形成する弁体を有して排出流路からの圧力によってのみ開放されるノズルバルブと、スピンエレメントの突出部を通す筒体部を有して当該筒体部との間にノズルバルブの収納空間とともに当該ノズルバルブから排出された液体を通す一対の案内流路が形成されるジョイントカバーと、ジョイントカバーの筒体部に固定されて２つの案内流路の合流部を噴出口の直前に形成した噴出ノズルを備えるものである、トリガー式混合液噴出容器。
【請求項２】
請求項１において、案内流路は、スピンエレメントの突出部とジョイントカバーの筒体部の少なくとも一方に形成された溝で形成されたものである、トリガー式混合液噴出容器。
【請求項３】
請求項１又は２において、合流部は、スピンエレメントの突出部と噴出ノズルの少なくとも一方に形成された溝で形成されたものである、トリガー式混合液噴出容器。
【発明の詳細な説明】
【技術分野】
【０００１】
本発明は、２つの充填部からの液体をそれぞれレバー操作によって圧送するとともに、これらの液体を混合させたのち、外界に噴出させるトリガー式混合液噴出容器に関するものである。
【背景技術】
【０００２】
従来のトリガー式混合液噴出容器としては、２つの充填部に充填された液体をそれぞれ、レバー操作によって吸入して加圧したのち、各液体に対応する噴出口から外界に噴出させるものがある（例えば、特許文献１参照）。
【先行技術文献】
【特許文献】
【０００３】
【特許文献１】特開平８−８４９４６号公報
【発明の概要】
【発明が解決しようとする課題】
【０００４】
一方、浴室洗剤などでは、２つの液体を反応させたのちに使用するものがあり、こうした用途に対応するため、２つの排出流路を合流させることが考えられる。
【０００５】
しかしながら、２つの液体を混合させる場合、トリガーポンプ内に溜まった液体が合流部を介して行き来することで、排出流路内などで混ざり合ってしまう可能性がある。また、液体によっては、その効力（効能）が、混ざり合った後に徐々に低下する性質のものもある。この場合、時間をおいて再度使用するとき、トリガーポンプ内で混ざり合った液体は本来の効力を見込めなくなるという問題がある。
【０００６】
本発明の目的とするところは、２つの液体の逆流を防止することで、混合済みの残液を少量に抑えることができる、新規なトリガー式混合液噴出容器を提供することにある。
【課題を解決するための手段】
【０００７】
本発明である、トリガー式混合液噴出容器は、液体が充填される２つの充填部を有する容器本体と、容器本体を固定可能な装着筒を有して個々の充填部の口筒部に通じる２つのインテークが設けられたインテーク部材と、１のインテークに通じるシリンダとこのシリンダに通じる排出流路を一対に横並びに配置したボディと、各シリンダに配置されたピストンをそれぞれ同期動作させるレバーと、ボディに形成された２つの排出流路を合流させて噴出口を通して２つの液体の混合液を噴出させる噴出部を備え、
噴出部は、ボディに接続されるアダプタエレメントと、このアダプタエレメントを介してボディに形成した排出流路に通じる一対の開口部が横並びに配置されているとともに当該開口部の間に突出部が設けられたスピンエレメントと、スピンエレメントに形成された開口部の出側にドーム状の密封空間を形成する弁体を有して排出流路からの圧力によってのみ開放されるノズルバルブと、スピンエレメントの突出部を通す筒体部を有して当該筒体部との間にノズルバルブの収納空間とともに当該ノズルバルブから排出された液体を通す一対の案内流路が形成されるジョイントカバーと、ジョイントカバーの筒体部に固定されて２つの案内流路の合流部を噴出口の直前に形成する噴出ノズルを備えるものである。
【０００８】
本発明において、案内流路は、スピンエレメントの突出部とジョイントカバーの筒体部の少なくとも一方に形成された溝で形成されたものであることが好ましい。
【０００９】
また、本発明おいて、合流部は、スピンエレメントの突出部と噴出ノズルの少なくとも一方に形成された溝で形成されたものとすることができる。
【発明の効果】
【００１０】
本発明では、混合済みの残液を少量に抑えることができる。これにより、時間をおいて使用しても、効力（効能）の低下した混合液と混ざることがほとんどないため、効力の高い混合液を速やかに噴出させることができる。
【図面の簡単な説明】
【００１１】
【図１】本発明である、トリガー式混合液噴出容器の一実施形態を示す正面図である。
【図２】同噴出容器を示す側面図である。
【図３】図２を一部断面で示す拡大図である。
【図４】図３のＹ−Ｙ断面図である。
【図５】図３のＺ−Ｚ断面図である。
【図６】同噴出容器を示す平面図である。
【図７】同噴出容器に係る、噴出部周辺を拡大して示す図１のＸ−Ｘ断面図である。
【図８】（a）は、同トリガー式混合液噴出容器に係る、ノズルバルブが組み付けられた状態のスピンエレメントを示す斜視図であり、（ｂ）は、（a）のスピンエレメントに設けた突出部の小径部先端を示す平面図である。
【図９】（ａ）は、同噴出容器に係る、ノズルバルブが組み付けられた状態のスピンエレメントを示す要部縦断面図であり、（ｂ）は、（ａ）における、スピンエレメントの開口部付近をノズルバルブの軸部とともに示す要部横断面図である。
【発明を実施するための形態】
【００１２】
以下、図面を参照して、本発明である、トリガー式混合液噴出容器の一実施形態を詳細に説明する。
【００１３】
図１中、符号１は、本発明の一実施形態である、トリガー式混合液噴出容器である。符号２は、２つの液体Ａ，Ｂが充填される容器本体である。容器本体２は、液体Ａ（１液）が充填される充填部２Ａと、液体Ｂ（他の１液）が充填される充填部２Ｂを一体に備える。また、容器本体２は、ベースカップ２Ｄにより自立させることができる。充填部２Ａおよび充填部２Ｂにはそれぞれ、図４に示すように、液体の充填空間ＳA,ＳBに通じる口筒部２Ｃが設けられている。口筒部２Ｃにはそれぞれ、中栓３Ａ，３Ｂが固定されている。中栓３Ａ，３Ｂにはそれぞれ、ディップチューブ４Ａ，４Ｂが設けられている。ディップチューブ４Ａは、充填空間ＳA内の液体Ａを吸引するための通路として機能する。同様に、ディップチューブ４Ｂは、充填空間ＳB内の液体Ｂを吸引するための通路として機能する。
【００１４】
符号１０は、トリガーポンプである。トリガーポンプ１０は、インテーク部材１１を有する。インテーク部材１１は、中栓３Ａ，３Ｂを介して容器本体２に載せ置かれる接続部１１ａを有する。また、インテーク部材１１は、接続部１１ａに対して回転可能に保持される装着筒１２を有する。装着筒１２の内側には、容器本体２に形成されたおねじ部２ｓと螺合するめねじ部１２ｓが形成されている。これにより、インテーク部材１１は、容器本体２に対して固定することができる。また、インテーク部材１１には、接続部１１ａから一体に起立する２つの外筒部１１ｂが設けられている。外筒部１１ｂの内側には、中空のインテーク１１ｃが一体に設けられている。一方のインテーク１１ｃは、中栓３Ａに設けられたディップチューブ４Ａを通して充填空間ＳAに通じる。同様に、他方のインテーク１１ｃは、中栓３Ｂに設けられたディップチューブ４Ｂを通して充填空間ＳBに通じる。
【００１５】
符号１３は、連結部材１４を介してインテーク部材１１に固定される一対のボディである。ボディ１３は、図４に示すように、横並びに配置されており、別体として設けられたシリンダ１３ａを有する。また、ボディ１３は、排出管１３ｂが連結片１３ｃを介してシリンダ１３ａの上方に設けられている。排出管１３ｂの内側には、各シリンダ１３ａに通じる排出流路ｒ1が形成されている。さらに、ボディ１３は、図３に示すように、シリンダ１３ａと排出管１３ｂを連結する基部１３ｄを有する。基部１３ｄは、各インテーク部材１１に連結部材１４を介して固定される。連結部材１４は、図４に示すように、各インテーク１１ｃの外筒部１１ｂを貫通させる２つの連結筒１４ａを有する。連結筒１４ａはそれぞれ、連結部１４ｂを介して一体に設けられている。連結部材１４は、インテーク部材１１とボディ１３との間を固定する。
【００１６】
また、基部１３ｄの内側には、図５に示すように、インテークロッド１５が配置されている。インテークロッド１５にはそれぞれ、吸入弁１６ａと排出弁１６ｂが設けられている。さらにインテークロッド１５にはそれぞれ、図３に示すように、吸入弁１６ａと排出弁１６ｂとの間に流通孔Ａ1が形成されている。流通孔Ａ1は、シリンダ１３ａに形成された開口部Ａ2に通じる。これにより、シリンダ１３ａはそれぞれ、インテークロッド１５を介して１つのインテーク１１ｃに通じる。さらに、インテークロッド１５には、排出弁１６ｂの出側（下流側）に排出口Ａ3が形成されている。これにより、シリンダ１３ａはそれぞれ、個々の排出流路ｒ1に通じる。
【００１７】
符号１７は、シリンダ１３ａ内にスライド可能に密閉保持されるピストンである。ピストン１７は、シリンダ１３ａとの間にポンプ室Ｓpを形成する。符号１８は、各シリンダ１３ａに配置された２つのピストン１７を同期して動作させるレバーである。レバー１８は、ボディ１３に対して回転可能に保持される軸部１８ｐを有する。これにより、レバー１８は、軸部１８ｐを基点に牽曳することができる。さらに、レバー１８は、ボディ１３に設けられた弾性部材１３ｅによって保持されている。これにより、レバー１８を弾性部材１３ｅの付勢力に抗して牽曳したのち、その牽曳動作を解除すると、弾性部材１３ｅの復元力（付勢力）によって初期位置に自動的に復帰させることができる。
【００１８】
符号２０は、２つの排出流路ｒ1を合流させて混合液を噴出させる噴出部である。図７に示すように、噴出部２０は、ボディ１３の先端側に固定されるスピンエレメント２１を有する。スピンエレメント２１は、アダプタエレメント２５を介してボディ１３の先端側に固定される。
【００１９】
詳細には、アダプタエレメント２５は基部２５ａを有し、この基部２５ａに２つのボディ側接続筒２５ｂが一体に設けられている。ボディ側接続筒２５ｂはそれぞれ、図示のように、排出管１３ｂの先端部に対して密封状態に嵌合保持される。また基部２５ａには、各排出流路ｒ1に通じる２つの開口部Ａ4が形成されているとともに、２つのスピンエレメント側接続筒２５ｃが設けられている。スピンエレメント側接続筒２５ｃはそれぞれ、開口部Ａ4を取り囲むように設けられている。さらに基部２５ａには、２つのスピンエレメント側接続筒２５ｃを取り囲むように周壁２５ｄが設けられている。
【００２０】
一方、スピンエレメント２１は、図８に示すように、楕円形の平坦な基部２１ａを有し、この基部２１ａには、一対の凹部Ｃが形成されている。凹部Ｃは、内周壁２１ｂが底壁２１ｃによって閉じられた円筒形の凹部である。凹部Ｃは、図９（ａ）に示すように、その底壁２１ｃにそれぞれ、開口部Ａ5が形成されている。開口部Ａ5はそれぞれ、同図（ｂ）に示すように、丸孔の内縁を周方向に間隔を置いて切り欠いたスプライン状の開口部として形作られている。開口部Ａ5にはそれぞれ、図９（ａ）に示すように、ノズルバルブ２２が配置されている。
【００２１】
ノズルバルブ２２は、ドーム状（傘状）の弁体２２ａを有し、この弁体２２ａには軸部２２ｂが一体に設けられている。軸部２２ｂは開口部Ａ5を貫通し、抜け止め部２２ｃが一体に設けられている。これにより、軸部２２ｂと開口部Ａ5の切り欠きとの間には、図９（ｂ）に示すように、複数の流通路ｒo（図中では、符号は例示的に１箇所のみ表示）が形成される。加えて、弁体２２ａは、図９（ａ）に示すように、その周縁部２２ｅが底壁２１ｃに接触することで、開口部Ａ5の出側にドーム状の密封空間Ｓoを形成する。これにより、流通路ｒoからの液体Ａ，Ｂがそれぞれ、対応するノズルバルブの弁体２２ａに付勢力を与えて、弁体２２ａの周縁部２２ｅが底壁２１ｃから離間した場合のみ、液体Ａ，Ｂの流通が可能になる。
【００２２】
また、底壁２１ｃには、開口部Ａ5を取り囲むように、２つの接続筒２１ｄが一体に設けられている。接続筒２１ｄはそれぞれ、図７に示すように、アダプタエレメント２５のスピンエレメント側接続筒２５ｃに対して密封状態に嵌合保持される。さらに、基部２１ａには、その外縁に、周壁２１ｈが設けられている。周壁２１ｈは、アダプタエレメント２５に組み付けられたとき、２つのスピンエレメント側接続筒２５ｃを取り囲むように収納する。
【００２３】
さらに、基部２１ａには、図８（a）に示すように、２つの凹部Ｃ（開口部Ａ5）の間に突出部２１ｐが設けられている。突出部２１ｐは、大径部２１ｐ1および小径部２１ｐ2からなる。また、基部２１ａおよび大径部２１ｐ1には、細溝Ｇ1およびＧ2が形成されている。細溝Ｇ1は、凹部Ｃの内周壁２１ｂから基部２１ａに沿って切り欠かれてなる。また細溝Ｇ2は、大径部２１ｐ1の側面に沿って伸び、その一方が細溝Ｇ1につながるとともに、その他方が大径部２１ｐ1の段差面を切り欠いてなる。
【００２４】
細溝Ｇ1およびＧ2は、ノズルバルブ２２（開口部Ａ5）に隣接する位置に形成されている。加えて、小径部２１ｐ2の側面には、細溝Ｇ4およびＧ5が形成されている。細溝Ｇ4およびＧ5は、図８（a）に示すように、２つのノズルバルブ２２（開口部Ａ5）それぞれに対応する位置に形成されている。本実施形態では、細溝Ｇ5は、細溝Ｇ4よりも周方向の幅が狭く深い溝として、小径部２１ｐ2の先端周縁の一部を切り欠いてなる。さらに、小径部２１ｐ2の先端面には、円形溝Ｇ6が形成されている。円形溝Ｇ6には、２つの細溝Ｇ5がそれぞれ、円形溝Ｇ6の外周に接するようにつながっている。本実施形態では、２つの細溝Ｇ5はそれぞれ、細溝Ｇ4と円形溝Ｇ6との間に段差が形成されるようにつながっている。なお、図８（ｂ）は、小径部２１ｐ2の先端を示す平面図である。
【００２５】
また、噴出部２０は、図７に示すように、ジョイントカバー２３を有する。ジョイントカバー２３は、スピンエレメント２１の基部２１ａに合わさって凹部Ｃを閉じる基部２３ａを有する。基部２３ａは、その合わせ面に嵌合筒２３ｂを有する。嵌合筒２３ｂは、凹部Ｃの内側に嵌合保持されることで、凹部Ｃと基部２３ａとの間に密閉された収納空間Ｓvを形成する。さらに、嵌合筒２３ｂには、細溝Ｇ1と整列する位置に切り欠きＡ6が形成されている。これにより、密閉空間Ｓvをそれぞれ、切り欠きＡ6を介して細溝Ｇ1に通じさせることができる。
【００２６】
さらに、基部２３ａには、先端側に向かって突出する筒体部２３ｃが設けられている。筒体部２３ｃの内側には、スピンエレメント２１の突出部２１ｐ（２１ｐ1，２１ｐ2）を通す貫通孔が形成されている。本実施形態では、筒体部２３ｃの内側に突出部２１ｐを嵌合させることで、スピンエレメント２１とジョイントカバー２３との間に、細溝Ｇ1と基部２３ａで区画された案内流路ｒ2と、細溝Ｇ2と筒体部２３ｃで区画された案内流路ｒ3とが形成される。
【００２７】
加えて、基部２３ａの外縁には、外筒壁２３ｈ1が設けられている。外筒壁２３ｈ1は、アダプタエレメント２５の周壁２５ｄに嵌合させることで密閉状態に固定される。本実施形態では、外筒壁２３ｈ1はさらに、固定手段Ｆによって強固に周壁２５ｄに固定されている。固定手段Ｆには、例えば、図７に示すような、環状の凹凸同士による嵌合が挙げられる。さらに、基部２３ａには、外筒壁２３ｈ1の内側に、内筒壁２３ｈ2が設けられている。内筒壁２３ｈ2は、スピンエレメント２１の周壁２１ｈに嵌合させることで密閉状態に固定される。
【００２８】
また、噴出部２０は、噴出口Ａ7が形成された噴出ノズル２４を備える。噴出ノズル２４は、嵌合筒２４ａを有する。嵌合筒２４ａは、突出部２１ｐに嵌合させることで密閉状態に固定される。詳細には、嵌合筒２４ａの内側は、小径部２１ｐ2の外観形状に合わせて形作られている。本実施形態では、嵌合筒２４ａの内側に、２つの細溝Ｇ3が形成されている。細溝Ｇ3はそれぞれ、嵌合筒２４ａの端部から嵌合筒２４ａに沿って切り欠かれてなる。これにより、細溝Ｇ3をそれぞれ、細溝Ｇ2に整列させることで、スピンエレメント２１と噴出ノズル２４の間に、小径部２１ｐ2と細溝Ｇ3で区画された案内流路ｒ4が形成される。加えて、スピンエレメント２１と噴出ノズル２４の間に、細溝Ｇ5およびＧ6と嵌合筒２４ａの内周面および突き当たり面で区画された案内流路ｒ5およびｒ6と、細溝Ｇ5と嵌合筒２４ａの突き当たり面で区画された合流部ｒ7とが形成される。合流部ｒ7は、噴出口Ａ7の直前に配置されることで外界に通じる。
【００２９】
加えて、噴出ノズル２４には、装着筒２４ｂが設けられている。接続筒２４ｂは、筒体部２３ｃに設けた接続筒２３ｅに嵌合させることでジョイントカバー２３に対して密閉状態に固定される。本実施形態では、接続筒２４ｂはさらに、回転手段Ｒによって接続筒２３ｅに回転可能に保持されている。回転手段Ｒには、例えば、図７に示すような、環状の凹凸同士の嵌合が挙げられる。加えて、噴出ノズル２４には、密閉筒２４ｃが設けられている。密閉筒２４ｃは、接続筒２３ｅに嵌合させることでジョイントカバー２３に対して密閉状態に固定される。
【００３０】
なお、本実施形態では、図１に示すように、噴出ノズル２４には、レバー１８の牽曳動作を阻止して誤噴出を防止するためのストッパ２６が設けられている。ストッパ２６は、噴出ノズル２４に固定される固定部２６ａと、この固定部２６ａから伸びるアーム２６ｂと、アーム２６ｂの先端に設けられたストッパ本体２６ｃと有する。これにより、噴出ノズル２４を軸線周りに回転させると、ストッパ本体２６ｃがレバー１８の背面に配置されることで、レバー１８の牽曳が阻止される。また、噴出ノズル２４には、障壁板２７が設けられている。障壁板２７は貫通孔を有し、噴出ノズル２４の前面で揺動させることで、貫通孔と噴出口Ａ7とを選択することにより、噴出状態を適宜変更することができる。
【００３１】
次に、本実施形態に係る噴出部２０の動作を説明する。
【００３２】
本実施形態では、レバー１８の牽曳および復帰を繰り返すことで、充填部２Ａからの液体Ａが一方の排出流路ｒ1を通して噴出部２０に供給されるとともに、これに同期して、充填部２Ｂからの液体Ｂが他方の排出流路ｒ1を通して噴出部２０に供給される。噴出部２０に供給された液体Ａおよび液体Ｂはそれぞれ、図７の矢印に示すように、ノズルバルブ２２を押し開くことで、液体Ａおよび液体Ｂがそれぞれ、対応する密閉空間Ｓvに充填される。このため、液体Ａおよび液体Ｂの逆流を阻止することができる。次いで、密閉空間Ｓvに充填された液体Ａおよび液体Ｂはそれぞれ、案内流路ｒ2〜ｒ6を通って合流路ｒ7にて混合される。この場合も、案内流路ｒ2〜ｒ6はいずれも細溝で形成されているため、液体Ａおよび液体Ｂの逆流を生じ難い。さらに、液体Ａおよび液体Ｂは、合流路ｒ7にて混合されたのち、噴出口Ａ7を通して噴出される。このように、液体Ａおよび液体Ｂが噴出口Ａ7の直前に形成された合流路ｒ7にて混合されれば、噴出後の混合液の残量を極力少なく抑えることができる。
【００３３】
このように、本実施形態では、噴出口Ａ7の直前に合流路ｒ7を配置するとともに、ノズルバルブ２２を設けることで、液体Ａおよび液体Ｂが行き来したり、排出流路ｒ1まで逆流することを防止する。これにより、混合済みの残液を少量に抑えることができる。このため、本実施形態では、結果的に、時間をおいて使用しても、効力（効能）の低下した混合液と混ざることがほとんどないため、効力の高い混合液を速やかに噴出させることができる。
【００３４】
特に、本実施形態では、案内流路ｒ2〜ｒ6を、細溝で形成されたことで、流路面積が減少することから、液体の逆流を効果的に阻止することができる。
【００３５】
上述したところは、本発明の一形態を示したにすぎず、特許請求の範囲において、種々の変更を加えることができる。例えば、ボディ１３は一体に形成することができる。また、ストッパ２６や障壁板２７は省略することができる。
【符号の説明】
【００３６】
１      トリガー式混合液噴出容器
２      容器本体
２Ａ    充填部
２Ｂ    充填部
２Ｃ    口筒部
２Ｄ    ベースカップ
３Ａ    中栓
３Ｂ    中栓
４Ａ    ディップチューブ
４Ｂ    ディップチューブ
１０    トリガーポンプ
１１    インテーク部材
１１ａ  接続部
１１ｂ  外筒部
１１ｃ  インテーク
１３    ボディ
１３ａ  シリンダ
１３ｂ  排出管
１３ｃ  連結片
１３ｄ  基部
１３ｅ  弾性部材
１４    連結部材
１４ａ  連結筒
１５    インテークロッド
１６ａ  吸入弁
１６ｂ  排出弁
１７    ピストン
１８    レバー
１８ｐ  軸部
２０    噴出部
２１    スピンエレメント
２１ａ  基部
２１ｂ  内周壁
２１ｃ  底壁
２１ｄ  接続筒
２１ｈ  周壁
２１ｐ  突出部
２１ｐ1 大径部
２１ｐ2 小径部
２２    ノズルバルブ
２２ａ  弁体
２２ｂ  軸部
２２ｃ  抜け止め部
２２ｅ  弁体周縁部
２３    ジョイントカバー
２３ａ  基部
２３ｂ  嵌合筒
２３ｃ  筒体部
２３ｈ1 外筒壁
２３ｈ2 内筒壁
２４    噴出ノズル
２４ａ  嵌合筒
２４ｂ  接続筒
２５    アダプタエレメント
２５ａ  基部
２５ｂ  ボディ側接続筒
２５ｃ  スピンエレメント側接続筒
２５ｄ  周壁
２６    ストッパ
２７    障壁板
Ａ      液体
Ｂ      液体
Ａ1     流通孔
Ａ2     開口部
Ａ3     排出口
Ａ4     開口部
Ａ5     開口部
Ａ6     切り欠き
Ａ7     噴出口
Ｆ      固定手段
Ｇ1     細溝（案内流路）
Ｇ2     細溝（案内流路）
Ｇ3     細溝（案内流路）
Ｇ4     細溝（案内流路）
Ｇ5     細溝（案内流路）
Ｇ6     細溝（合流部）
ｒo     流通路
ｒ1     排出流路
ｒ2     案内流路
ｒ3     案内流路
ｒ4     案内流路
ｒ5     案内流路
ｒ6     案内流路
ｒ7     合流部
Ｒ      回転手段
Ｓo     密封空間
ＳA     充填空間
ＳB     充填空間
Ｓp     ポンプ室
Ｓv     収納空間
【図１】
2015101383.tif 000003
【図２】
2015101383.tif 000004
【図３】
2015101383.tif 000005
【図４】
2015101383.tif 000006
【図５】
2015101383.tif 000007
【図６】
2015101383.tif 000008
【図７】
2015101383.tif 000009
【図８】
2015101383.tif 000010
【図９】
2015101383.tif 000011